(57)【要約】      （修正有）【課題】逆止弁を長期間にわたり開状態に保つことが容易な医療用具及び動物治療用具を提供する。【解決手段】柔軟部を備えたフレーム部の内部に設けられた逆止弁３であって、柔軟部を指で押すと逆止弁３も押圧されて逆止弁３が開状態となり指で押すのをやめると、逆止弁３が閉状態に復帰するとともに、押圧具５を用いて柔軟部を押圧状態に保つと、逆止弁３も押圧されて逆止弁３が開状態に保たれ、押圧具５による押圧を解除すると逆止弁３が閉状態に復帰することを特徴とする逆止弁３を用いた医療用具及び動物治療用具である。【選択図】    図４
2004173836.tif 000002
【特許請求の範囲】
【請求項１】
柔軟部を備えたフレーム部の内部に設けられた逆止弁であって、柔軟部を指で押すと逆止弁も押圧されて逆止弁が開状態となり指で押すのをやめると、逆止弁が閉状態に復帰するとともに、押圧具を用いて柔軟部を押圧状態に保つと、逆止弁も押圧されて逆止弁が開状態に保たれ、押圧具による押圧を解除すると逆止弁が閉状態に復帰することを特徴とする逆止弁を用いた医療用具及び動物治療用具。
【請求項２】
逆止弁は、
テーパー管部と当該テーパー管部の小径口に連続して外方向へ延びる小径管部とからなる弁ホルダーであって、当該テーパー管部の大径口がハブ部の内面と液密に嵌合される弁ホルダーと、
弁ホルダーの小径管部外周面に被着され、かつ、フレーム部の後部から受ける液流圧によって、あるいは、側方からの押圧によって、開口するが、フレーム部の前部から受ける液流圧によって閉口するスリットを有する可撓性の弁と、
からなることを特徴とする請求項１に記載の医療用具及び動物治療用具。
【請求項３】
柔軟部に突起を有し、
長手方向に伸びる案内溝をフレーム部に有し、
中央板の両端から同一側へ垂下する右側板と左側板を備えた「コ」の字形断面の押圧具を有し、
押圧具の右側板の一部と左側板の一部がそれぞれ、案内溝に係合し、押圧具がフレーム部の長手方向に摺動し、一端近くから一端までに押圧具が位置している時には押圧具の中央板の内面が突起を押圧し、逆止弁を開状態とし、他端近くから他端に押圧具が位置している時には押圧具が突起を押圧しない
請求項１または２に記載の医療用具および動物治療用具。
【請求項４】
押圧具が中空円筒部とキャップとからなり、
柔軟部近くにネジ溝を付した中空円筒部を設け、
中空円筒部に螺合するネジ溝付きキャップであって、キャップ下面には柔軟部を押圧するための突起を有し、
キャップを回転すると、キャップが下降して突起が柔軟部を押圧し、逆止弁を開状態とし、
キャップを逆回転すると、キャップが柔軟部を押圧しなくなる請求項１または２に記載の医療用具及び動物治療用具。
【請求項５】
柔軟部に突起を有し、
押圧具が弾性ベルトと係合具とからなり、
弾性ベルトの一端を突起近くに固定し、弾性ベルトの他端に係合具の一方を取り付け、弾性ベルトの一端の固定部と突起を結ぶ直線上であって、突起から見て固定部と逆側に係合具の他方をフレーム部に取り付けて、
弾性ベルトの他端の係合具とフレーム部の係合具とを係合すると弾性ベルトによって突起が押圧され、逆止弁が開状態となる
請求項１または２に記載の医療用具及び動物医療用具。
【発明の詳細な説明】
【０００１】
【産業上の利用分野】
本発明は医療用具及び動物治療用具に関する。医療用具としては、カテーテルの留置針（外針）や内針、翼状針、カテーテル用プラグ、翼状針用プラグ、点滴チューブやそのプラグを挙げることができる。動物治療用具としては犬、ねこ、、小鳥、馬などを治療または検診するためのカテーテル、翼状針、プラグ、チューブ等を挙げることができる。
【０００２】
【従来の技術】
出願人は特願２００２−０６２２３０において逆止弁を内蔵するカテーテルの留置針（外針）を提案し、特願２００２−１６１２３６において、逆止弁を備えたカテーテル用外針や翼状針を提案し、特願２００２−１８４３３０において逆止弁を内蔵するカテーテル用プラグを提案している。
【０００３】
さらに、特願２００２−２６３８５４において、フレーム部の一部に柔軟部を設け、柔軟部の内部に逆止弁を備えたカテーテルの外針、内針、翼状針、プラグ等を提案している。
【０００４】
図５は従来のカテーテル用プラグの正面断面図であり、図６は従来のカテーテル用プラグの平面図である。
【０００５】
フレーム１は小径部１１と、本体部１２と、フランジ部１３とからなり、その材質は透明または半透明の軟らかい樹脂である。本体部１２のフランジ部寄りは円筒形であるが、小径部寄りは下部１８が平面であり、上部は薄肉部１６とボタン部１７と有している。ボタン部１７の上面を指で押すと、下部１８が患者の腕やももの皮膚に安定して接し、フレーム１が移動しにくい状態のまま、薄肉部１６がへこみ、下方へ移動する。そのため、薄肉部１６の下面が逆止弁３の弁本体３２に接し、下方へ圧下する。
【０００６】
弁本体は、シリコン系ゴム、ウレタン系ゴム、プラスチック系軟質材でできているのが好ましく、力が加わり弾性変形した後に、指を離して力を除くと、再びもとの形状に戻る。加圧し、その後に力を除くことを繰り返しても、もとの形状に戻る繰返し再現性、復帰性の優れた弾性材料が好ましい。
【０００７】
本従来技術においては、弁本体３２が製図用具の「からす口」のような形状である。先端の２つの平板３２４、３２５の長辺は、フレームの１の下部１８に対し垂直方向に配置されている。通常において、平板３２４、３２５は、その長辺が互いに密接している。しかし、ボタン部１７を指で押圧すると、薄肉部１６が撓み、弁本体３２も下方へ押圧され、平板３２４、３２５は弓状に撓んで、平板３２４、３２５の間に隙間が生じる。その結果として、逆止弁３を通過して、液体が流通する。一方、ボタン部１７の押圧をやめると、弁本体３２はもとの形状に戻り、平板３２４、３２５は密接し、その間を流体は流通できなくなる。
【０００８】
【発明が解決しようとする課題】
しかしながら、逆止弁を長時間にわたって開状態とするためには、医療従事者がフレームの近くにいて、指で従来のプラグの突起を押し続けなければならず、大変な負担となり、使用しずらい。
【０００９】
したがって、本発明の目的は、逆止弁を長期間にわたり開状態に保つことが容易な医療用具及び動物治療用具を提供することである。
【００１０】
【課題を解決するための手段】
上記目的は、請求項１に記載の本発明に係る医療用具及び動物治療用具、すなわち、柔軟部を備えたフレーム部の内部に設けられた逆止弁であって、柔軟部を指で押すと逆止弁も押圧されて逆止弁が開状態となり指で押すのをやめると、逆止弁が閉状態に復帰するとともに、押圧具を用いて柔軟部を押圧状態に保つと、逆止弁も押圧されて逆止弁が開状態に保たれ、押圧具による押圧を解除すると逆止弁が閉状態に復帰することを特徴とする逆止弁を用いた医療用具及び動物治療用具によって、達成される。
【００１１】
また、上記目的は、請求項２に記載の本発明に係る医療用具及び動物治療用具、すなわち、逆止弁は、テーパー管部と当該テーパー管部の小径口に連続して外方向へ延びる小径管部とからなる弁ホルダーであって、当該テーパー管部の大径口がハブ部の内面と液密に嵌合される弁ホルダーと、弁ホルダーの小径管部外周面に被着され、かつ、フレーム部の後部から受ける液流圧によって、あるいは、側方からの押圧によって、開口するが、フレーム部の前部から受ける液流圧によって閉口するスリットを有する可撓性の弁と、からなることを特徴とする請求項１に記載の医療用具及び動物治療用具によっても、達成される。
【００１２】
さらに、上記目的は、請求項３に記載の本発明に係る医療用具及び動物治療用具、すなわち、柔軟部に突起を有し、長手方向に伸びる案内溝をフレーム部に有し、中央板の両端から同一側へ垂下する右側板と左側板を備えた「コ」の字形断面の押圧具を有し、押圧具の右側板の一部と左側板の一部がそれぞれ、案内溝に係合し、押圧具がフレーム部の長手方向に摺動し、一端近くから一端までに押圧具が位置している時には押圧具の中央板の内面が突起を押圧し、逆止弁を開状態とし、他端近くから他端に押圧具が位置している時には押圧具が突起を押圧しない請求項１または２に記載の医療用具及び動物治療用具によっても、達成される。
【００１３】
さらにまた、上記目的は、請求項４に記載の本発明に係る医療用具及び動物治療用具、すなわち、押圧具が中空円筒部とキャップとからなり、柔軟部近くにネジ溝を付した中空円筒部を設け、中空円筒部に螺合するネジ溝付きキャップであって、キャップ下面には柔軟部を押圧するための突起を有し、キャップを回転すると、キャップが下降して突起が柔軟部を押圧し、逆止弁を開状態とし、キャップを逆回転すると、キャップが柔軟部を押圧しなくなる請求項１または２に記載の医療用具及び動物治療用具によっても、達成される。
【００１４】
さらにあるいは、上記目的は、請求項５に記載の本発明に係る医療用具及び動物治療用具、すなわち、柔軟部に突起を有し、押圧具が弾性ベルトと係合具とからなり、弾性ベルトの一端を突起近くに固定し、弾性ベルトの他端に係合具の一方を取り付け、弾性ベルトの一端の固定部と突起を結ぶ直線上であって、突起から見て固定部と逆側に係合具の他方をフレーム部に取り付けて、弾性ベルトの他端の係合具とフレーム部の係合具とを係合すると弾性ベルトによって突起が押圧され、逆止弁が開状態となる請求項１または２に記載の医療用具及び動物医療用具によっても達成される。
【００１５】
【発明の実施の形態】
以下、本発明の実施形態について、添付図面を参照して、詳細に説明する。
【００１６】
図１は本発明に係る実施形態のカテーテル用プラグの説明図であり、（ａ）は正面断面図であり、（ｂ）は（ａ）中Ａ−Ａ断面図であり、（ｃ）は（ａ）中Ｂ−Ｂ断面図である。
【００１７】
カテーテル用プラグのフレーム１は、小径部１１と、本体部１２と、フランジ部１３とからなり、その材質は透明又は半透明の樹脂である。本体部１２のフランジ部寄りは円筒形であるが、小径部寄りは下部１８が平面となっており、上部は薄肉部１６とボタン部１７と小突起１９とを有し、下部１８近くの左右側方には中心軸１０に並行に伸びる直線溝４ａ、４ｂが、それぞれ、形成されている。
【００１８】
フレーム１の内部には、逆止弁３が設けてある。逆止弁３は、金属製の逆止弁ホルダー３１と、シリコーンゴム、天然ゴム、合成ゴム製の弁本体３２と、からなる。逆止弁ホルダー３１は、中空円錐状のテーパー部３１１と、テーパー部の小径口に連続する中間直管部３１２と、Ｒ部３１３と、Ｒ部の小径口に連続する小径直管部３１４と、からなる。弁本体３２は中空直管部３２２と、それに連続する「からす口」状部３２３とからなる。「からす口」状部３２３の先端近くは、製図用具の「からす口」と同様に、２つの平板３２４、３２５がその長辺を互いに接している。
【００１９】
そして、弁本体３２の外面に作用する力（液圧）が内面に作用する力（液圧）と等しいか、あるいは大きい時には、２つの平板３２４、３２５は密接しており、液を通過させない。一方、弁本体３２の内面に作用する力（液圧）が外面に作用する力（液圧）より所定値以上大きい時には、２つの平板３２４、３２５の間に隙間が生じるように離れ、開口して、液が通過する。また、平板３２４、３２５の長辺方向に圧縮力が作用している時には、２つの平板３２４、３２５の間に隙間が生じるように離れ、開口して、液が通過する。
【００２０】
逆止弁３の弁本体３２の先端近くの平板３２４、３２５は長辺方向が垂直になり、ボタン部１７の直下に位置している。
【００２１】
フレーム１の薄肉部１６のうちフランジ部寄りにボタン部１７があり、小径部寄りに小突起２０が形成されている。
【００２２】
図２は本発明に係る実施形態のカテーテル用プラグの押圧具の説明図であり、（ａ）はその正面図であり、（ｂ）はその側面図である。
【００２３】
押圧具５は請求項３に対応する本発明に係る実施形態である。中央板５１の両端から同一側へ垂下する右側板５２と左側板５３とを備えており、右側板５２の端には、内側へ突出する突出部５２１を有し、左側板５３の端にも内側へ突出する突出部５３１を有している。押圧具５の中央板５１の下面は肉厚部５１１と薄肉部５１２とからなり、薄肉部５１２の一部には係合くぼみ５１３が形成されている。中央板５１の上面には凹凸が形成されており、指で押し移動する際に滑りにくくするのが好ましい。また、角に丸味を付けて、角が当ってケガをしたり、角にこすって切り傷が生じないようにすると良い。
【００２４】
図３及び図４は、本発明に係るカテーテル用プラグの動作説明図である。
【００２５】
フレーム１の本体部１２の上に、押圧具５をまたがせて、押圧具５の突出部５２１、５３１を、それぞれ、本体部１２の直線溝４ａ、４ｂに係合させ、直線溝４ａ、４ｂに沿って突出部５２１、５３１を案内し直線運動させると、押圧具５はフレーム１の中心軸１０に沿って薄肉部１６の上方を移動する。
【００２６】
図３に示すように、押圧具５をフレーム１の小径部１１へ近づけると、フレーム１の小突起１９が押圧具５の係合くぼみ５１３に係合する。この位置にあるのが通常状態であり、逆止弁の内面に作用する液圧が外面に作用する液圧に比べて所定値以上大きくない場合には、図３（ｂ）に示すように、（ａ）のＡ−Ａ断面については弁本体の先端近くの平板３２４、３２５はその長辺が互いに接している。
【００２７】
一方、図４に示すように、押圧具５をフランジ部１３へ近づけると、まず、小突起１９と係合くぼみ５１３との係合が外れ、続いて押圧具５の中央板５１の肉厚部５１１の下面が、フレーム１のボタン部１７に当接してボタン部１７を下方へ押圧する。すると、フレーム１の本体部１２の薄肉部１６も下方へ撓み、逆止弁３の弁本体３２の先端近くにある平板３２４、３２５の長辺方向に圧縮力が作用する状態に保たれる。そして、２つの平板３２４、３２５の間に隙間が生じるように離れ、開口状態に保たれる。よって、液が自由に流通できる。したがって、医師や看護人などの医療従事者が常にカテーテル用プラグの近くに居る必要がなく、また、指で押し続けたり、逆止弁なしのプラグに交換する必要もない。さらに、患者自身が指で押し続ける必要もない。
【００２８】
他の実施形態においては、押圧具が側面にネジ溝を切った中空円筒部と、これに螺合するネジ溝付きキャップと、からなる。カテーテル用プラグのボタン部が中空円筒部の内部に位置し、中空円筒部の側面がボタン部の突出方向に平行に伸びている。ネジ溝付きキャップの下面がボタン部の上部を押圧することが可能となっている。
【００２９】
ネジ溝付きキャップを正回転させると、ネジ溝付きキャップが中空円筒部に沿って螺旋運動を行って下降し、カテーテル用プラグのボタン部を押圧する。そして、カテーテル用プラグの内部に位置し、ボタン部の直下にある逆止弁の弁本体の先端近くを押圧した状態に保たれる。
【００３０】
一方、ネジ溝付きキャップを逆回転させると、ネジ溝付きキャップが中空円筒部に沿って逆方向に螺旋運動を行って上昇し、カテーテル用プラグのボタン部は押圧されなくなり、元の位置に復帰する。
【００３１】
ネジ溝付きキャップが紛失しないように、ネジ溝付きキャップとカテーテル用プラグのフレームとをコード、ひも、チューブ、線、テープなど可撓性部品で連結しておくのが好ましい。
【００３２】
また、カテーテル用プラグのボタン部を指で押しやすくするため、中空円筒部の側面の一部を切り欠いたり、高さを低くすると良い。
【００３３】
ネジ溝付きキャップを１／２回転あるいは１／４回転だけ正逆回転可能とし、原則として、ネジ溝付きキャップが中空円筒部からはずれ、分離しない構造としてもよい。すると、誤ってネジ溝付きキャップやカテーテル用プラグのフレームを患者の寝返りなどによって押圧しても、ボタン部が押圧されることはない。また、逆止弁の開閉切換え操作が容易になる。さらに、ネジ溝付きキャップの円形周の一部あるいは外側面の一部に目印を付けておき、開状態にあるのか、閉状態にあるのかを、見分けやすくしておくと良い。
【００３４】
さらに他の実施形態においては、押圧具が弾性ベルトと係合具とからなる。弾性ベルトの一端をカテーテル用プラグのボタン部の近くに固定する。弾性ベルトの他端に係合具の一方を取り付ける。弾性ベルトの一端とボタン部とを結ぶ直線のボタン部寄りの延長線上に係合具の他方を取り付ける。
【００３５】
そして、弾性ベルトの中央近くをボタン部の上面に密接させた状態で係合具の一方と係合具の他方を係合させると、弾性ベルトの中央近くがボタン部を押圧する。そして、カテーテル用プラグの内部に位置し、ボタン部の直下にある逆止弁の弁本体の先端近くを押圧した状態に保たれる。
【００３６】
以上、カテーテル用プラグについて本発明に係る実施形態を例示して説明したが、他の医療用具や動物治療用具にも同様に適用することができる。
【００３７】
【発明の効果】
本発明に係る医療用具及び動物治療用具は、フレーム部の内部に逆止弁が設けられているので、原則として、液体が一方向のみに流れるとともに、フレーム部の柔軟部の内部に逆止弁が位置しているので、柔軟部を押圧しているときに逆止弁が開状態となり、液体が両方向へ流れることが可能となる。
【００３８】
さらに、本発明に係る医療用具及び動物治療具は、フレームの柔軟部を押し続ける押圧具を有しているので、医療従事者が患者のそばに居続けたり、患者が指で柔軟部を押し続けなくとも、逆止弁を開状態に保つことができる。そのため、医療従事者や患者への負担が少なくなるという効果が得られるとともに、指で押し続けている途中の居眠りによって、柔軟部の押圧が停止するということはなくなり医療事故が少なくなるという効果が得られる。
【００３９】
本発明に係る医療用具及び動物治療具は、押圧部の操作によって、繰返し開状態と通常逆止弁状態とを切り替えることが可能であり、使い捨てや交換に比べ経済的である。
【図面の簡単な説明】
【図１】本発明に係る実施形態のカテーテル用プラグの説明図であり、（ａ）は正面断面図であり、（ｂ）は（ａ）中Ａ−Ａ断面図であり、（ｃ）は（ａ）中Ｂ−Ｂ断面図である。
【図２】本発明に係る実施形態のカテーテル用プラグの押圧具の説明図であり、（ａ）はその正面図であり、（ｂ）はその側面図である。
【図３】本発明に係るカテーテル用プラグの動作説明図である。
【図４】本発明に係るカテーテル用プラグの動作説明図である。
【図５】従来のカテーテル用プラグの正面断面図である。
【図６】従来のカテーテル用ラグの平面図である。
【符号の説明】
１  フレーム
１０  中心軸
１１  小径部
１２  本体部
１３  フランジ部
１６  薄肉部
１７  ボタン部
１８  本体部下部
１９  小突起
２０  小突起
３  逆止弁
３１  弁ホルダー
３２  弁本体
３１１  テーパー部
３１２  中間直管部
３１３  Ｒ部
３１４  小径直管部
３２２  中空直管部
３２３  「からす口」状部
３２４  平板
３２５  平板
４ａ  直線溝
４ｂ  直線溝
５  押圧具
５１  中央板
５２  右側板
５３  左側板
５１１  肉厚部
５１２  薄肉部
５１３  係合くぼみ
５２１  突出部
５３１  突出部
【図１】
2004173836.tif 000003
【図２】
2004173836.tif 000004
【図３】
2004173836.tif 000005
【図４】
2004173836.tif 000006
【図５】
2004173836.tif 000007
【図６】
2004173836.tif 000008